(57)【要約】【課題】  用紙先端の端縁折りの開始位置を任意に変更できる用紙折り装置を提供する。【解決手段】  用紙を搬送する用紙搬送手段１１、１６、３０と、用紙搬送手段によって搬送される用紙に折り目を形成する用紙折り手段１４、１５と、用紙サイズの違いに応じて用紙折り手段による用紙に対する折り開始位置を変更する折り開始位置変更手段１００、１７、２３、３０と、を備えた。【選択図】    図８
2006062781.tif 000002
【特許請求の範囲】
【請求項１】
用紙を搬送する用紙搬送手段と、用紙搬送手段によって搬送される用紙に折り目を形成する用紙折り手段と、用紙サイズの違いに応じて用紙折り手段による用紙に対する折り開始位置を変更する折り開始位置変更手段と、制御手段と、を備えたことを特徴とする用紙折り装置。
【請求項２】
前記制御手段は、用紙サイズについての情報に基づいて前記折り開始位置変更手段を制御して折り開始位置を変更することを特徴とする請求項１に記載の用紙折り装置。
【請求項３】
前記制御手段は、前記折り開始位置変更手段を制御して、用紙の送り量、用紙の送り開始タイミングを調整することにより折り開始位置を変更することを特徴とする請求項１又は２に記載の用紙折り装置。
【請求項４】
前記折り開始位置変更手段は、用紙搬送手段によって搬送開始された用紙の先端を検知する先端検知センサ、用紙折り手段を駆動する用紙折りモータ、及び紙折りコントローラ、を備え、
前記紙折りコントローラは、搬送される用紙サイズについての情報に基づいて、用紙サイズ毎に異なる用紙折り開始位置を決定し、決定した用紙折り開始位置での用紙折りを実現するために、用紙搬送手段による用紙の搬送が開始され、用紙の先端が先端検知センサによって検知されてから所定時間ｔ２秒経過してから用紙折りモータの駆動を開始し、用紙折りモータの駆動を開始してからｔａ秒後に用紙折り手段によって用紙の規定の箇所に折り目を形成するよう制御することを特徴とする用紙折り装置。
【請求項５】
請求項１、２、３又は４に記載の用紙折り装置を備えた画像形成装置において、前記折り開始位置変更手段による折り開始位置の変更は、画像形成装置に設けた操作部からの操作により実施できることを特徴とする画像形成装置。
【請求項６】
請求項１、２、３又は４に記載の用紙折り装置を備えたことを特徴とする画像形成装置。
【発明の詳細な説明】
【技術分野】
【０００１】
本発明は画像形成装置の後処理装置等として利用される用紙折り装置の改良に関する。
【背景技術】
【０００２】
従来から複写機、プリンタ、ファクシミリ装置等の電子写真式画像形成装置から排出されたコピー用紙や記録紙や印刷紙等の用紙の任意の位置に任意の折れ目を形成する機能を有した用紙折り装置が知られている。
従来、図面原稿等の大きなサイズの原稿を複写する電子複写機においては、Ａ０、Ａ１等の大判の複写用紙上に複写する場合が多々ある。これらの大判のコピー用紙をそのまま保管したり、あるいは大判のままで取り扱ったのでは、保管スペースが大きくなったり、あるいはその取扱いが不便であるため、通常は折り畳まれて収納される。しかしながら、この複写用紙の折り畳みを手作業で行った場合には、一般的にはかなりの時間を要し、用紙の折り畳みに要する時間が複写に要する時間の数倍になる場合もある。このようなことから、複写機の排出路に配置される紙折り装置が開発されており、例えばＡ０サイズの図面をＡ４サイズの大きさに折り畳む紙折り装置が知られている。このような紙折り装置を使用して大サイズの用紙を小サイズにまで折り畳んだ場合に、折り畳まれた用紙をファイル等に綴り込むと、用紙の端縁まで綴り込まれてしまう。また、用紙上の画情報の都合で端縁折りの開始位置を変える必要が生じることもある。このような端縁の綴り込みを防止したり、用紙上の画像に対応した最適な折れ目を形成するために、折り畳んだ用紙の端縁部分を、オペレータが手作業によって再度折り込み、その後ステープル、パンチ等で綴り込んで、ファイルを作成することが必要である。しかし、全ての用紙に対して端縁部分を折り込む作業を手作業にて行うと、オペレータの負担が大きくなる。
このようなことから、自動的に用紙の端縁を折り込み、オペレータの負担を軽減できる端縁折り装置が提案されている。
例えば、特許第３１７３１２１号には、用紙を搬送させる用紙搬送手段と、用紙の端縁をすくい上げる第１の位置と、すくい上げた用紙の端縁を折り込む第２の位置との間で上下動可能な端縁折り部材を有する端縁折り込み手段と、前記端縁折り部材の近傍において用紙の到達を検知する用紙検知手段と、この用紙検知手段により用紙の到達が検知された後、一定のタイミングで前記端縁折り部材を第１の位置に設定するとともに、前記端縁折り部材に用紙の端縁が載った後、一定のタイミングで前記端縁折り部材を第２の位置に設定し、その下に用紙の端縁を折り込ませるよう制御する端縁折り制御手段と、前記端縁が折り込まれた用紙をニップして前記端縁を折り上げる折りローラ対を有する端縁折り上げ手段とを備えた端縁折り装置が開示されている。
実用新案登録第２５２４１５５号公報にも同様の目的を有した装置が開示されている。
【特許文献１】特許第３１７３１２１号
【特許文献２】実用新案登録第２５２４１５５号
【発明の開示】
【発明が解決しようとする課題】
【０００３】
しかし、従来方式の場合、特許第３１７３１２１号等のように端縁折りを開始する位置は、端縁折りの折り目を掬い上げる上下動可能な端縁折り部材の形状に依存して決定されるため、ユーザーがファイリングの都合や用紙の画情報の都合で用紙先端の端縁折りの開始位置を変えたくても変更できない。端縁折り開始位置を変更するためには、端縁折り部材を異なった形状のものと変更するしか方法がなかった。
本発明は上記に鑑みてなされたものであり、用紙先端の端縁折りの開始位置を任意に変更できる用紙折り装置を提供するものである。
【課題を解決するための手段】
【０００４】
上記目的を達成するため、請求項１に係る発明は、用紙を搬送する用紙搬送手段と、用紙搬送手段によって搬送される用紙に折り目を形成する用紙折り手段と、用紙サイズの違いに応じて用紙折り手段による用紙に対する折り開始位置を変更する折り開始位置変更手段と、制御手段と、を備えたことを特徴とする。
請求項２の発明は、請求項１において、前記制御手段は、用紙サイズについての情報に基づいて前記折り開始位置変更手段を制御して折り開始位置を変更することを特徴とする。
請求項３の発明は、請求項１又は２において、前記制御手段は、前記折り開始位置変更手段を制御して、用紙の送り量、用紙の送り開始タイミングを調整することにより折り開始位置を変更することを特徴とする。
請求項４の発明は、請求項前記折り開始位置変更手段は、用紙搬送手段によって搬送開始された用紙の先端を検知する先端検知センサ、用紙折り手段を駆動する用紙折りモータ、及び紙折りコントローラ、を備え、前記紙折りコントローラは、搬送される用紙サイズについての情報に基づいて、用紙サイズ毎に異なる用紙折り開始位置を決定し、決定した用紙折り開始位置での用紙折りを実現するために、用紙搬送手段による用紙の搬送が開始され、用紙の先端が先端検知センサによって検知されてから所定時間ｔ２秒経過してから用紙折りモータの駆動を開始し、用紙折りモータの駆動を開始してからｔａ秒後に用紙折り手段によって用紙の規定の箇所に折り目を形成するよう制御することを特徴とする。
請求項５の発明は、請求項１、２、３又は４に記載の用紙折り装置を備えた画像形成装置において、前記折り開始位置変更手段による折り開始位置の変更は、画像形成装置に設けた操作部からの操作により実施できることを特徴とする。
請求項６の発明は、請求項１、２、３又は４に記載の用紙折り装置を備えたことを特徴とする。
【発明の効果】
【０００５】
従来の用紙折り装置では、折り畳んだ後の用紙の状況が、ファイルへの綴じ込みや、ステープル、パンチ形成に適しないことがある。これは用紙の端縁などに形成した折り目の位置が不適切であることに起因する。特に用紙サイズが変更する場合には折り目形成位置も変更する必要があるにも拘わらず、部品交換を行わずに折り目形成位置を変更することはできなかった。
本発明では、操作部からの操作、或いは入力された用紙サイズについての情報に応じて自動的に、折り目形成位置を変更できる。特に、折り目形成手段に対する用紙の送り量、折り目形成手段の駆動開始タイミングに対する用紙の送りタイミングに調整により折り目形成位置を調整することができる。
【発明を実施するための最良の形態】
【０００６】
以下、本発明の用紙折り装置（端縁折り装置）を図面に基づいて詳細に説明する。
なお、以下の実施形態では用紙の端縁に折り目を形成する装置例を示すが、本発明は用紙端縁に限らず用紙の任意の位置に折り目を形成する装置にも適用可能である。
図１は本発明の端縁折り装置（用紙折り装置）と、この端縁折り装置を後処理装置として連結した複写機の概略断面図である。図２〜図５は端折り装置の動作を示す正面図、図６、図７は端縁折りローラ対が用紙に折り目を付けるときの動作図、図８は端縁折り装置の上面図、図９は端縁折り装置のブロック図、図１０は本実施例のフローチャートを示す。
まず、図１により装置全体の構成について説明する。符号２００は複写装置本体（画像形成装置本体）、符号１は複写装置本体２００の用紙排出側側面に連結する後処理装置としての端縁折り装置である。端縁折り装置（用紙折り装置）１は、装置本体２００との連結部６と、用紙Ｐ先端の端縁を折る端縁折り部（用紙折り部）２と、用紙を搬送方向にジャバラ状に折るジャバラ折り部３と、ジャバラ折り部３にてジャバラ状に折られた用紙をＡ４の大きさに垂直方向に折るクロス折り部４と、クロス折り部４にてＡ４サイズに折られた用紙を排出しスタックするスタッカー５と、を備えている。
複写装置本体２００には画像読取装置２０６が配置されていると共に、その下部に手差し給紙台２０８が配置されている。この手差し給紙台２０８にセットされた用紙を給紙する際には、この用紙はレジストローラ２０７により一時停止され、タイミングをとって作像ユニット２０６に供給される。作像ユニット２０６では、感光体２０６ａ上に画像データに対応して形成された潜像がトナーにより現像され、このトナーが用紙に転写され、定着装置２１０により定着される。定着装置２１０でトナーが定着された記録済用紙は記録済用紙排出ロール２１１により、紙折りを行う場合は端縁折り装置１へ排出される。また、紙折りを行わない場合は、図示されていない切換爪により上排紙ローラ２０９へ導かれ本体胴内に排出される。
次に用紙を折る場合は記録済用紙排出ロール２１１により用紙Ｐは端縁折り装置１に送られ連結部６を通り、端縁折り部２の入り口搬送ローラ対１６にて用紙が送られ、用紙端縁を折る場合は端縁折り部２により用紙先端の端縁を折られる。用紙の端縁折りのパターンとしては、用紙を搬送しながら用紙端縁を折る場合と、用紙の搬送を一旦停止して用紙端縁を折る場合との２つのパターンがある。端縁折り部２にて用紙を一旦停止させつつその端縁を折る場合は、複写装置本体２００に用紙後端がかかっていることがあるので、この場合は複写装置本体２００側が用紙の搬送を続ける一方で、連結部６に設けられて上下動する可動式の入り口ガイド板４０が点線で示すように下方へ開放して用紙の中間部、後部を下方へ退避させる。従って、用紙Ｐはその先端の搬送が停止したままで複写機本体２００側から排出され続けることが可能になっている。
端縁折り部２により用紙先端の端縁を折られた後、用紙はジャバラ折り部３により搬送方向にジャバラ状に折られ、さらに用紙はクロス折り部４によりＡ４の大きさに折られ、スタッカー５にスタックされる。
【０００７】
次に端縁折り部２について図２等により説明する。図１の端縁折り部２を拡大したのが図２である。図２の上面図が図８である。図８において、入り口搬送ローラ（用紙搬送手段）１６の下流側、軸方向中央近傍に用紙の先端位置を検知する先端検知センサ１７が配置される。そのさらに下流側には、端縁折りの折り目の角度Ｑ（搬送方向と直交する幅方向との間の角度）と同じ角度となるようにローラ軸中心が配置された端縁折りローラ（第１の用紙折りローラ、第１の用紙折り手段）１４、端縁折りローラ（第２の用紙折りローラ、第２の用紙折り手段）１５を配置している。さらに下流側には用紙搬送方向とローラ軸中心が直交する折りローラ対（用紙搬送手段）１１が配置されている。つまり、折りローラ対１１は幅方向と平行（搬送方向と直交方向）に延びる一方で、端縁折りローラ１４、１５は幅方向と角度Ｑだけ交差するように構成されている。なお、図８に示すように端縁折りローラ１４、１５は一方の軸端部１４Ａ、１５Ａが横方向へ回動自在に軸支されているため、端縁折りローラ１４、１５は軸端部１４Ａ、１５Ａを回動中心として所定の角度切換範囲内で回動し、幅方向に対する角度Ｑが切換可能となっている。
なお、用紙搬送手段とは、例えばローラ対１６からローラ対１１までに至る搬送経路を含む端縁折り装置内の搬送経路である。
入り口搬送ローラ１６の他方の軸端部にはプーリ２８がその軸心を固定され、折りローラ１１の他方の軸端部にはプーリ２１が固定され、各プーリ２１、２８は駆動ベルト２２により連結されて駆動力の伝達を受ける。
さらに入り口搬送ローラ１６のプーリ２８は、搬送モータ（用紙搬送手段）３０の出力軸に固定されたプーリ３１と駆動ベルト２９を介して連結され、折りローラ１１および入り口搬送ローラ１６は搬送モータ３０により回転、停止させられる構成になっている。
【０００８】
端縁折りローラ１４、１５は、完全な円筒体ではなく、しかも夫々異なった形状を有している。一方の端縁折りローラ（凸ローラ）１４は、周面の一部から鋭角状に突出した凸部（折り目形成部）１４ａと、凸部１４ａの回転方向下流側の傾斜面を延長した傾斜側面１４ｂと、傾斜側面１４ｂの他端縁を屈曲させた平面部１４ｃと、平面部１４ｃと凸部１４ａの他方の傾斜面裾部とを連結する円弧部１４ｄとを有している。凸部１４ａ以外の各部１４ｂ、１４ｃは、円弧部１４ｄを延長形成した円形の周面内に納まるように構成されている。なお、符号２４、２５、２６は図８にも示したギヤである。
なお、この例では凸部１４ａを鋭角の突起として示したがこれは一例に過ぎず、形成しようとする折り目の形状に応じて凸部１４ａの全体形状、先端形状を種々変更することができる。従って、例えば、先端だけを平坦にしたり、円弧状にしたり、或いは全体形状を鈍角状にしたり、矩形にしてもよい。
他方の端縁折りローラ（凹ローラ）１５は、周面の一部が端縁折りローラ１４の凸部１４ａと嵌合するように構成された凹部（折り目形成部）１５ａとなっており、凹部１５ａと対向する位置（周面）には平面部１５ｃが形成され、凹部１５ａと平面１５ｃとの間には夫々円弧部１５ｂが形成されている。凹部１５ａの形状は凸部１４ａの形状の変化に応じて変更可能である。
なお、平面部１４ｃ、１５ｃの面は、必ずしも平坦面である必要はなく、待機状態において互いに干渉せず、用紙を通過させ得る程度のギャップが形成される形状であれば、多少凸状、凹状であってもよい。
【０００９】
凸部１４ａと凹部１５ａとが図３のように嵌合し用紙端縁に折り目を付ける構成となっている。さらに、両端縁折りローラ１４、１５に夫々設けた平面部１４ｃ、１５ｃは、待機状態を示す図２のように通常の待機位置ではこの平面部同士がそれぞれ通紙経路に対し平行に向いていて通紙ギャップを形成し、通紙の妨げにならない状態となっている。従って端縁折りを行わない場合、端縁折りローラ１４、１５は図２の待機位置のままの状態を保つ。さらに、一方の端縁折りローラ１４の軸端にはギヤ２５、他方の端縁折りローラ１５の軸端にはギヤ２６がそれぞれ固定され、両ギヤ２５、２６同士は噛合している。そして、ギヤ２５はさらに端縁折りモータ（用紙折りモータ）２３の出力軸に固定されたギヤ２４と連結している。従って、端縁折りローラ１４、１５は端縁折りモータ２３により回転、停止の駆動制御を受ける構成になっている。
さらに図８のように、端縁折りローラ１４（端縁折りローラ１５でもよい）の軸端部には外径方向へ突出した遮光部１４ｅを有し、この遮光部１４ｅがホームポジションセンサ２７（以下、ＨＰセンサ）を端縁折りローラ１４、１５の待機位置で遮光し、このときＨＰセンサ２７がＯＮ信号を送ることにより、制御手段が待機位置を検出する構成になっている。つまり、遮光部１４ｅの突出角度は、端縁折りローラ１４、１５の平面部１４ｃ、１５ｃ同士が平行に対向し合った状態（図２の状態）か否かをＨＰセンサ２７が検知できるように設定されている。
また、制御系の構成としては図８のように複写装置本体２００に装備される操作部２０１により、ユーザーが用紙に折りを形成する・形成しないの選択、さらに用紙を折る場合は端縁を折る・折らないの入力操作を行う。その入力信号は本体制御基板（制御手段）２０２に伝達され、さらにその信号は端縁折り装置１に装備される紙折りコントローラ（制御手段）１００に伝達され、紙折り動作を実行させるための制御を行う。また、端縁折り動作はこの紙折りコントローラ１００により制御され、先端検知センサ１７とＨＰセンサ２７の入力信号に基づいて端縁折りモータ２３と搬送モータ３０の回転、停止制卸を行っている。
【００１０】
次に、本発明の実施形態の動作を図１〜図５および、図９、図１０に基づいて説明する。
まず、本体側の操作部２０１の操作により端縁折り信号が出力されると（Ｓ０）、その信号は本体制御基板２０２を介して紙折りコントローラ１００に入力される。次に、端縁折りを行う場合は、端縁折りを行う用紙サイズ、および、用紙先端の端縁折り開始位置の調整を行うかどうかを選択し（Ｓ１）、選択した結果についての信号を紙折りコントローラ１００に入力する。
ここで、折り目形成開始位置の調整を行わない場合は、紙折りコントローラ１００は端縁折りローラ１４、１５が待機位置に有るか否かをＨＰセンサ２７の信号に基づいて確認する（Ｓ２）。ＨＰセンサ２７がＯＮでない場合、端縁折りモータを回転させ（Ｓ３）、端縁折りローラ１４、１５が待機位置に来ると、ＨＰセンサ２７がＯＮし（Ｓ４）、端縁折りモータを停止させる（Ｓ５）。この状態で搬送モータ３０の回転を開始し（Ｓ６）、図２のように折りローラ１１及び入り口搬送ローラ１６は矢印方向に回転し、複写機本体２００の排出ロール２１１により記録済用紙が送られるのを待つ。用紙が図２のように入り口搬送ローラ６に達し、用紙の先端が先端検知センサ１７をＯＮさせると（Ｓ７）、そのｔ１秒後に端縁折りローラ１４、１５の凹凸部が用紙の折り目形成位置で嵌合するように端縁折りモータ２３も回転開始し、端縁折りローラ１４、１５は図２の矢印方向に回転を開始する（Ｓ８）。さらにｔａ秒後、図３のように端縁折りローラ１４、１５の凹凸部が用紙の折り目形成位置で嵌合し端縁から所定長の位置を所定の角度にて折り返す。
【００１１】
用紙先端の端縁折り開始位置の調整を行う場合には、複写機本体２００側の操作部２０１で端縁折りの開始位置を調整するための入力操作を行い、その信号が紙折りコントローラ１００に入力される。入力された値から端縁折りモータ３０の動作開始タイミングｔ２を算出し、このタイミングが紙折りコントローラ１００のメモリーに設定される（Ｓ９）。そして、開始位置の調整を行わない場合（Ｓ２〜Ｓ７）と同じくＳ１０〜Ｓ１５のように動作する。即ち、紙折りコントローラ１００は端縁折りローラ１４、１５が待機位置に有るか否かをＨＰセンサ２７の信号に基づいて確認する（Ｓ１０）。ＨＰセンサ２７がＯＮでない場合、端縁折りモータを回転させ（Ｓ１１）、端縁折りローラ１４、１５が待機位置に来ると、ＨＰセンサ２７がＯＮし（Ｓ１２）、端縁折りモータを停止させる（Ｓ１３）。この状態で搬送モータ３０の回転を開始し（Ｓ１４）、折りローラ１１及び入り口搬送ローラ１６は矢印方向に回転し、複写機本体２００の排出ロール２１１により記録済用紙が送られるのを待つ。用紙が図２のように入り口搬送ローラ６に達し、用紙の先端が先端検知センサ１７をＯＮさせると（Ｓ１５）、そのｔ２秒後に端縁折りローラ１４、１５の凹凸部が用紙の折り目形成位置で嵌合するように端縁折りモータ２３も回転開始し、端縁折りローラ１４、１５は図２の矢印方向に回転を開始する（Ｓ１６）。先端検知センサによる先端検知後ｔ２秒が経過してから更にｔａ秒経過後、図３のように端縁折りローラ１４、１５の凹凸部が用紙の折り目形成位置で嵌合し端縁から所定長の位置を所定の角度にて折り返す。
この後は端縁折り開始位置の調整を行う、若しくは行わないに関わらず、図４のように用紙に折り目を付け、搬送モータ３０および端縁折りモータ２３は回転して搬送を続け、用紙の折り目形成部分から徐々に折りローラ１１に進入し、図５のように端縁折り目の部分が折りローラ１１のニップを通過すると端縁折りは完全に折り返される。同時に紙折りコントローラ１００は端縁折りローラ１４、１５が待機位置に達しＨＰセンサ２７がＯＮするか否かを監視し（Ｓ１８）、ＨＰセンサ２７がＯＮすると端縁折りモータ２３を停止させ（Ｓ１９）、端縁折りローラ１４、１５が待機位置を保つ。その後、用紙後端が折りローラ１１のニップを通過するタイミングで搬送モータ３０を停止させる（Ｓ２０）。
【００１２】
本発明では、紙折りコントローラ１００、先端検知センサ１７、端縁折りモータ２３、搬送モータ３０の協働によって、端縁折り手段による用紙先端の端縁折り開始位置を決定、変更する端縁折り開始位置変更手段（変更手段）を実現している。そして、操作部２０１からの用紙サイズについての入力情報に基づいて、用紙サイズ毎に異なる用紙折り開始位置を決定し、決定した用紙折り開始位置を実現するための制御を行う。具体的には、折り開始位置を変更する場合には、搬送モータ３０による用紙の搬送が開始され、用紙の先端が先端検知センサ１７によって検知されてから所定時間ｔ２秒経過してから端縁折りモータ２３の駆動を開始し、端縁折りモータ２３の駆動を開始してからｔａ秒後に端縁折りローラ１４、１５の折り目形成部によって用紙の規定の箇所をニップして折り目を形成する。
また、本発明では、上記端縁折り開始位置手段を有することにより、紙折りを行うすべてのサイズの用紙に対して最適の位置にて端縁折りを行うことが可能となる。
また、本発明では、端縁折りの開始位置の変更を操作部からの操作により実現できる構成であることにより、操作部からの入力によって、容易に端縁折りの開始位置を変更することが可能となる。
また、本発明では、端縁折りの開始位置を変更する変更手段は、用紙の送り量（端縁折りモータ２３による端縁折りローラ１４、１５の駆動開始タイミング）により変更することができる構成であることにより、部品を追加しなくても、端縁送りモータを制御するだけで端縁折りの開始位置を自由に変更することが可能となる。
【図面の簡単な説明】
【００１３】
【図１】本発明の端縁折り装置（用紙折り装置）と、この端縁折り装置を後処理装置として連結した複写機の概略断面図。
【図２】実施例の動作側面図
【図３】本発明の端縁折り装置の動作を説明するための正面図。
【図４】本発明の端縁折り装置の動作を説明するための正面図。
【図５】本発明の端縁折り装置の動作を説明するための正面図。
【図６】端縁折りローラ対が用紙に折り目を付けるときの動作図。
【図７】端縁折りローラ対が用紙に折り目を付けるときの動作図。
【図８】端縁折り装置の平面図。
【図９】端縁折り装置のブロック図。
【図１０】実施例のフローチャート。
【符号の説明】
【００１４】
１  端縁折り装置（用紙折り装置）、２  端縁折り部（用紙折り部）、３  ジャバラ折り部、４  クロス折り部、５  スタッカー、６  連結部、１１  折りローラ対、１４  端縁折りローラ（第１の用紙折りローラ、第１の用紙折り手段）、１４ａ  凸部（折り目形成部）、１４ｂ  傾斜側面、１４ｃ  平面部、１４ｅ  遮光部、１５  端縁折りローラ（第２の用紙折りローラ、第２の用紙折り手段）、１５ａ  凹部（折り目形成部）、１５ｂ  傾斜面部、１５ｃ  平面部、１６  入り口搬送ローラ対、１７  先端検知センサ、２３  端縁折りモータ（用紙折りモータ）、２４、２５、２６  ギヤ、２７  ＨＰセンサ、２８  プーリ、２９  駆動ベルト、３０  搬送モータ、１００  紙折りコントローラ（制御手段）
【図１】
2006062781.tif 000003
【図２】
2006062781.tif 000004
【図３】
2006062781.tif 000005
【図４】
2006062781.tif 000006
【図５】
2006062781.tif 000007
【図６】
2006062781.tif 000008
【図７】
2006062781.tif 000009
【図８】
2006062781.tif 000010
【図９】
2006062781.tif 000011
【図１０】
2006062781.tif 000012